(57)【要約】【課題】本開示は、３次元のボリュームスキャンを行なうレーダにおいて、近距離及び遠距離を合わせた全体として、観測データを圧縮することを目的とする。【解決手段】本開示は、３次元のボリュームスキャンを行なうレーダにおける、レーダ受信信号を処理するレーダ受信信号処理装置２であって、電子走査又は機械走査によりレーダ受信信号の情報を取得する受信信号情報取得部２１と、受信信号情報取得部２１が取得したレーダ受信信号の情報のうち、レーダサイト１から所定近距離でのレーダ受信信号の情報を間引く受信信号情報間引き部２２と、を備えることを特徴とするレーダ受信信号処理装置２である。【選択図】図１
2018124213.tif 000002
【特許請求の範囲】
【請求項１】
３次元のボリュームスキャンを行なうレーダにおける、レーダ受信信号を処理するレーダ受信信号処理装置であって、
電子走査又は機械走査によりレーダ受信信号の情報を取得する受信信号情報取得部と、
前記受信信号情報取得部が取得したレーダ受信信号の情報のうち、レーダサイトから所定近距離でのレーダ受信信号の情報を間引く受信信号情報間引き部と、
を備えることを特徴とするレーダ受信信号処理装置。
【請求項２】
３次元のボリュームスキャンを行なうレーダにおける、レーダ受信信号を処理するレーダ受信信号処理装置であって、
電子走査又は機械走査によりレーダ受信信号の情報を取得するにあたり、レーダサイトから所定近距離でのレーダ受信信号の情報を間引くかどうかを予め設定できる機能を有する受信信号情報間引き部、
を備えることを特徴とするレーダ受信信号処理装置。
【請求項３】
前記受信信号情報間引き部は、前記レーダサイトから近距離でのレーダ受信信号の情報ほど、前記レーダサイトから遠距離でのレーダ受信信号の情報より、間引き率を高くする
ことを特徴とする、請求項１又は２に記載のレーダ受信信号処理装置。
【請求項４】
前記受信信号情報間引き部は、所定の大きさの物標が見落とされないように、レーダ受信信号の情報の間引き率を設定する
ことを特徴とする、請求項１から３のいずれかに記載のレーダ受信信号処理装置。
【請求項５】
前記受信信号情報間引き部が間引かなかったレーダ受信信号の情報と、前記受信信号情報間引き部がレーダ受信信号の情報を間引かなかった走査領域の情報とを、前記レーダ受信信号処理装置の処理結果として出力する受信信号情報出力部、をさらに備える
ことを特徴とする、請求項１から４のいずれかに記載のレーダ受信信号処理装置。
【請求項６】
３次元のボリュームスキャンを行なうレーダにおける、レーダ受信信号を処理するレーダ受信信号処理プログラムであって、
電子走査又は機械走査によりレーダ受信信号の情報を取得する受信信号情報取得ステップと、
前記受信信号情報取得ステップで取得したレーダ受信信号の情報のうち、レーダサイトから所定近距離でのレーダ受信信号の情報を間引く受信信号情報間引きステップと、
を順にコンピュータに実行させるためのレーダ受信信号処理プログラム。
【請求項７】
３次元のボリュームスキャンを行なうレーダにおける、レーダ受信信号を処理するレーダ受信信号処理プログラムであって、
電子走査又は機械走査によりレーダ受信信号の情報を取得するにあたり、レーダサイトから所定近距離でのレーダ受信信号の情報を間引くかどうかを予め設定できる機能を有する受信信号情報間引きステップ、
をコンピュータに実行させるためのレーダ受信信号処理プログラム。
【請求項８】
３次元のボリュームスキャンを行なうレーダにおける、レーダ受信信号を処理するレーダ受信信号処理方法であって、
電子走査又は機械走査によりレーダ受信信号の情報を取得する受信信号情報取得ステップと、
前記受信信号情報取得ステップで取得したレーダ受信信号の情報のうち、レーダサイトから所定近距離でのレーダ受信信号の情報を間引く受信信号情報間引きステップと、
を順に備えることを特徴とするレーダ受信信号処理方法。
【請求項９】
３次元のボリュームスキャンを行なうレーダにおける、レーダ受信信号を処理するレーダ受信信号処理方法であって、
電子走査又は機械走査によりレーダ受信信号の情報を取得するにあたり、レーダサイトから所定近距離でのレーダ受信信号の情報を間引くかどうかを予め設定できる機能を有する受信信号情報間引きステップ、
を備えることを特徴とするレーダ受信信号処理方法。
【発明の詳細な説明】
【技術分野】
【０００１】
本開示は、３次元のボリュームスキャンを行なうレーダにおける、レーダ受信信号を処理するレーダ受信信号処理技術に関する。
【背景技術】
【０００２】
３次元のボリュームスキャンを行なうレーダとして、パラボラアンテナを用いるパラボラレーダが、従来から知られている。
【０００３】
パラボラレーダでは、仰角方向の機械走査をある一定仰角で止めたうえで、方位角方向の機械走査を３６０°に渡って行ない、仰角方向の機械走査を別の一定仰角で止めたうえで、方位角方向の機械走査を３６０°に渡って行なう、という操作を繰り返す。よって、パラボラレーダでは、ボリュームスキャンデータを得るために、「複数周」の方位角方向の機械走査が必要であり、５分から１０分程度の時間を要する。このとき、最初のスキャンと最後のスキャンで時間の差異があるので、立体的に降水雲を捉えるには、ボリュームスキャンの時間が長すぎる場合があり、観測したエコーが鉛直方向に不整合を持つ可能性がある。また、対流性エコー等の変化の激しい現象を観測するには、５分という観測時間間隔（時間分解能）も十分でない場合がある。
【先行技術文献】
【特許文献】
【０００４】
【特許文献１】特許第５４４３８６７号明細書
【発明の概要】
【発明が解決しようとする課題】
【０００５】
３次元のボリュームスキャンを行なうレーダとして、ＤＢＦ（Ｄｉｇｉｔａｌ  Ｂｅａｍ  Ｆｏｒｍｉｎｇ）を用いるフェーズドアレイレーダが、新しい技術として注目を集めつつある。
【０００６】
フェーズドアレイレーダでは、従来のパラボラレーダの機械走査で観測していた部分を電子走査で観測することで、三次元観測を高速化できる。例えば、方位角方向の機械走査をあるセクタ内で行ないながら、仰角方向の電子走査を９０°に渡って行ない、方位角方向の機械走査を別のセクタ内で行ないながら、仰角方向の電子走査を９０°に渡って行なう、という操作を繰り返す。このフェーズドアレイレーダでは、方位角方向の機械走査「１周」（例えば３０秒）でボリュームスキャンデータを取得できるため、パラボラレーダと比べ、観測位置の不整合が少なく、時間分解能も高い。また、パラボラレーダの「複数周」の仰角方向のデータと比べ、このフェーズドアレイレーダの仰角方向のデータは、電子走査でより密なデータを取得できるため、仰角方向の空間分解能が高い。
【０００７】
このように、フェーズドアレイレーダでは、パラボラレーダより、空間分解能及び時間分解能が高くなるため、観測データのサイズが大きくなり、観測データの機器間のやり取りにおいて、必要な帯域及び時間が増えてしまう。そこで、フェーズドアレイレーダにおいて、観測データの圧縮技術を検討する必要がある。
【０００８】
例えば、特許文献１では、フェーズドアレイレーダにおいて、極座標系の観測データを、所定の格子点間隔を有するメッシュからなる直交座標系の観測データに変換する。
【０００９】
そして、レーダサイトから近距離においては、レーダビームが広がっていないため、直交座標系の単数のメッシュに、極座標系の複数のレンジビンが含まれる可能性がある。そこで、極座標系の複数のレンジビンのうち極座標系の単数のレンジビンのみを、直交座標系の単数のメッシュに対応させることにより、観測データを圧縮することができる。
【００１０】
しかし、レーダサイトから遠距離においては、レーダビームが広がっているため、極座標系の単数のレンジビンに、直交座標系の複数のメッシュが含まれる可能性がある。そこで、極座標系の単数のレンジビンを、直交座標系の複数のメッシュのそれぞれに対応させてしまうと、観測データを圧縮するどころか、観測データを増大させてしまう。
【００１１】
そこで、前記課題を解決するために、本開示は、３次元のボリュームスキャンを行なうレーダにおいて、近距離及び遠距離を合わせた全体として、観測データを圧縮することを目的とする。
【課題を解決するための手段】
【００１２】
上記目的を達成するために、レーダサイトから近距離においては、レーダ受信信号の情報の空間内密度が高いことに着目して、レーダ受信信号の情報を間引くこととした。
【００１３】
具体的には、本開示は、３次元のボリュームスキャンを行なうレーダにおける、レーダ受信信号を処理するレーダ受信信号処理装置であって、電子走査又は機械走査によりレーダ受信信号の情報を取得する受信信号情報取得部と、前記受信信号情報取得部が取得したレーダ受信信号の情報のうち、レーダサイトから所定近距離でのレーダ受信信号の情報を間引く受信信号情報間引き部と、を備えることを特徴とするレーダ受信信号処理装置である。
【００１４】
また、本開示は、３次元のボリュームスキャンを行なうレーダにおける、レーダ受信信号を処理するレーダ受信信号処理装置であって、電子走査又は機械走査によりレーダ受信信号の情報を取得するにあたり、レーダサイトから所定近距離でのレーダ受信信号の情報を間引くかどうかを予め設定できる機能を有する受信信号情報間引き部、を備えることを特徴とするレーダ受信信号処理装置である。
【００１５】
また、本開示は、３次元のボリュームスキャンを行なうレーダにおける、レーダ受信信号を処理するレーダ受信信号処理プログラムであって、電子走査又は機械走査によりレーダ受信信号の情報を取得する受信信号情報取得ステップと、前記受信信号情報取得ステップで取得したレーダ受信信号の情報のうち、レーダサイトから所定近距離でのレーダ受信信号の情報を間引く受信信号情報間引きステップと、を順にコンピュータに実行させるためのレーダ受信信号処理プログラムである。
【００１６】
また、本開示は、３次元のボリュームスキャンを行なうレーダにおける、レーダ受信信号を処理するレーダ受信信号処理プログラムであって、電子走査又は機械走査によりレーダ受信信号の情報を取得するにあたり、レーダサイトから所定近距離でのレーダ受信信号の情報を間引くかどうかを予め設定できる機能を有する受信信号情報間引きステップ、をコンピュータに実行させるためのレーダ受信信号処理プログラムである。
【００１７】
また、本開示は、３次元のボリュームスキャンを行なうレーダにおける、レーダ受信信号を処理するレーダ受信信号処理方法であって、電子走査又は機械走査によりレーダ受信信号の情報を取得する受信信号情報取得ステップと、前記受信信号情報取得ステップで取得したレーダ受信信号の情報のうち、レーダサイトから所定近距離でのレーダ受信信号の情報を間引く受信信号情報間引きステップと、を順に備えることを特徴とするレーダ受信信号処理方法である。
【００１８】
また、本開示は、３次元のボリュームスキャンを行なうレーダにおける、レーダ受信信号を処理するレーダ受信信号処理方法であって、電子走査又は機械走査によりレーダ受信信号の情報を取得するにあたり、レーダサイトから所定近距離でのレーダ受信信号の情報を間引くかどうかを予め設定できる機能を有する受信信号情報間引きステップ、を備えることを特徴とするレーダ受信信号処理方法である。
【００１９】
この構成によれば、レーダサイトから近距離においては、レーダ受信信号の情報を間引くとともに、レーダサイトから遠距離においては、レーダ受信信号の情報を増大させないため、３次元のボリュームスキャンを行なうレーダにおいて、近距離及び遠距離を合わせた全体として、観測データを圧縮することができる。
【００２０】
また、本開示は、前記受信信号情報間引き部は、前記レーダサイトから近距離でのレーダ受信信号の情報ほど、前記レーダサイトから遠距離でのレーダ受信信号の情報より、間引き率を高くすることを特徴とするレーダ受信信号処理装置である。
【００２１】
この構成によれば、レーダサイトから近距離においても、レーダサイトから遠距離においても、レーダ受信信号の情報の空間内密度をほぼ等しく設定したうえで、レーダ受信信号の情報を間引くことができるため、３次元のボリュームスキャンを行なうレーダにおいて、近距離及び遠距離を合わせた全体として、観測データを圧縮することができる。
【００２２】
また、本開示は、前記受信信号情報間引き部は、所定の大きさの物標が見落とされないように、レーダ受信信号の情報の間引き率を設定することを特徴とするレーダ受信信号処理装置である。
【００２３】
この構成によれば、所定の大きさの物標が見落とされないように、レーダ受信信号の情報の空間内密度をあまり低く設定しないようにしたうえで、レーダ受信信号の情報を間引くことができるため、３次元のボリュームスキャンを行なうレーダにおいて、近距離及び遠距離を合わせた全体として、観測データを圧縮することができる。
【００２４】
また、本開示は、前記受信信号情報間引き部が間引かなかったレーダ受信信号の情報と、前記受信信号情報間引き部がレーダ受信信号の情報を間引かなかった走査領域の情報とを、前記レーダ受信信号処理装置の処理結果として出力する受信信号情報出力部、をさらに備えることを特徴とするレーダ受信信号処理装置である。
【００２５】
この構成によれば、データ転送先において、間引かれなかった走査領域の情報を参照して、間引かれなかったレーダ受信信号の情報を正しく処理・表示することができる。
【発明の効果】
【００２６】
このように、本開示によれば、３次元のボリュームスキャンを行なうレーダにおいて、近距離及び遠距離を合わせた全体として、観測データを圧縮することができる。
【図面の簡単な説明】
【００２７】
【図１】本開示のレーダシステムの構成を示す図である。
【図２】本開示のレーダシステムの構成を示す図である。
【図３】本開示の所定近距離でのレーダ受信信号の情報の間引き方法を示す図である。
【図４】本開示の所定高度以上でのレーダ受信信号の情報の間引き方法を示す図である。
【発明を実施するための形態】
【００２８】
添付の図面を参照して本開示の実施形態を説明する。以下に説明する実施形態は本開示の実施の例であり、本開示は以下の実施形態に制限されるものではない。
【００２９】
（本開示の所定近距離でのレーダ受信信号の情報の間引き方法）
本開示のレーダシステムの構成を図１及び図２に示す。本開示の所定近距離でのレーダ受信信号の情報の間引き方法を図３に示す。本開示のレーダシステムＲは、雨雲や航空機等の物標Ｔを探査するために、レーダサイト１及びレーダ受信信号処理装置２から構成される。
【００３０】
なお、本実施形態では、３次元のボリュームスキャンを行なうレーダとして、方位角方向の機械走査を行ないながら仰角方向の電子走査を行なうフェーズドアレイレーダを適用している。しかし、変形例として、３次元のボリュームスキャンを行なうレーダとして、方位角方向の走査方法を電子走査としてもよく機械走査としてもよく、仰角方向の走査方法を電子走査としてもよく機械走査としてもよい。
【００３１】
レーダサイト１は、フェーズドアレイレーダにおいて、方位角方向の機械走査を行ないながら仰角方向の電子走査を行なうために、レーダ送信部１１、レーダ受信部１２、機械走査部１３及び電子走査部１４から構成される。レーダ送信部１１は、雨雲や航空機等の物標Ｔへとレーダ送信波を送信する。レーダ受信部１２は、雨雲や航空機等の物標Ｔからレーダ反射波を受信する。機械走査部１３は、レーダ送受信の方位角方向の機械走査を行なう。電子走査部１４は、レーダ送受信の仰角方向の電子走査を行なう。
【００３２】
図１においては、レーダ受信信号処理装置２は、フェーズドアレイレーダにおけるレーダ受信信号を処理するために、受信信号情報取得部２１、受信信号情報間引き部２２及び受信信号情報出力部２３から構成される。本開示のレーダ受信信号処理は、レーダ受信信号処理装置２にインストールされたプログラムにより、実現することができる。
【００３３】
受信信号情報取得部２１は、電子走査又は機械走査によりレーダ受信信号の情報を取得する。本実施形態では、方位角方向の機械走査を行ない、仰角方向の電子走査を行なう。
【００３４】
受信信号情報間引き部２２は、受信信号情報取得部２１が取得したレーダ受信信号の情報のうち、レーダサイト１から所定近距離でのレーダ受信信号の情報を間引く。レーダサイト１から近距離においては、レーダ受信信号の情報の空間内密度が高いからである。
【００３５】
図２においては、レーダ受信信号処理装置２は、フェーズドアレイレーダにおけるレーダ受信信号を処理するために、受信信号情報間引き部２２及び受信信号情報出力部２３から構成される。本開示のレーダ受信信号処理は、レーダ受信信号処理装置２にインストールされたプログラムにより、実現することができる。
【００３６】
受信信号情報間引き部２２は、電子走査又は機械走査によりレーダ受信信号の情報を取得する。本実施形態では、方位角方向の機械走査を行ない、仰角方向の電子走査を行なう。このときに、受信信号情報間引き部２２は、レーダサイト１から所定近距離でのレーダ受信信号の情報を間引くかどうかを予め設定できる機能を有する。レーダサイト１から近距離においては、レーダ受信信号の情報の空間内密度が高いからである。
【００３７】
図３の左上欄に示した１／４円は、１回のＲＨＩ（Ｒａｎｇｅ  Ｈｅｉｇｈｔ  Ｉｎｄｉｃａｔｏｒ）観測における、レーダ受信信号の情報を示す。図３の右上欄に示した１／４円は、１回のＰＰＩ（Ｐｌａｎ  Ｐｏｓｉｔｉｏｎ  Ｉｎｄｉｃａｔｏｒ）観測又はＣＡＰＰＩ（Ｃｏｎｓｔａｎｔ  Ａｌｔｉｔｕｄｅ  ＰＰＩ）観測における、レーダ受信信号の情報を示す。図３の下欄に示した扇形は、図３の左上欄及び右上欄に示した１／４円のうち、砂地で示した一部分における、レーダ受信信号の情報を示す。図３の下欄に示した扇形では、レーダサイト１から近距離のレンジビンでのレーダ受信信号の情報が、例えば間引き率４／５で間引かれている（つまり、５個のレンジビンのうち、４個のレンジビンの割合で、レーダ受信信号の情報が間引かれている。）。
【００３８】
受信信号情報間引き部２２は、レーダサイト１から近距離においては、レーダ受信信号の情報を間引くとともに、レーダサイト１から遠距離においては、レーダ受信信号の情報を増大させないため、フェーズドアレイレーダにおいて、近距離及び遠距離を合わせた全体として、観測データを圧縮することができる。
【００３９】
受信信号情報間引き部２２は、レーダサイト１から近距離でのレーダ受信信号の情報ほど、レーダサイト１から遠距離でのレーダ受信信号の情報より、間引き率を高くしてもよい。図３の下欄に示した扇形では、レーダサイト１から近距離のレンジビンでのレーダ受信信号の情報が、例えば間引き率４／５で間引かれており、レーダサイト１から遠距離のレンジビンでのレーダ受信信号の情報が、例えば間引き率１／２で間引かれている。
【００４０】
受信信号情報間引き部２２は、レーダサイト１から近距離においても、レーダサイト１から遠距離においても、レーダ受信信号の情報の空間内密度をほぼ等しく設定したうえで、レーダ受信信号の情報を間引くことができるため、フェーズドアレイレーダにおいて、近距離及び遠距離を合わせた全体として、観測データを圧縮することができる。
【００４１】
受信信号情報間引き部２２は、所定の大きさの物標Ｔが見落とされないように、レーダ受信信号の情報の間引き率を設定してもよい。ここで、物標Ｔが空間的に広がりを有する雨雲等であるときには、レーダ受信信号の情報の間引き率を高く設定してもよい。一方で、物標Ｔが空間的に広がりを有さない航空機等であるときには、レーダ受信信号の情報の間引き率を低く設定すればよい。
【００４２】
受信信号情報間引き部２２は、所定の大きさの物標Ｔが見落とされないように、レーダ受信信号の情報の空間内密度をあまり低く設定しないようにしたうえで、レーダ受信信号の情報を間引くことができるため、フェーズドアレイレーダにおいて、近距離及び遠距離を合わせた全体として、観測データを圧縮することができる。
【００４３】
受信信号情報出力部２３は、受信信号情報間引き部２２が間引かなかったレーダ受信信号の情報と、受信信号情報間引き部２２がレーダ受信信号の情報を間引かなかった走査領域の情報とを、レーダ受信信号処理装置２の処理結果として出力する。ここで、レーダ受信信号の情報が間引かれなかった走査領域の情報は、例えばヘッダ情報として出力されて、間引かれなかったレーダ受信信号の情報は、例えばペイロード情報として出力される。
【００４４】
このように、データ転送先３において、間引かれなかった走査領域の情報を参照して、間引かれなかったレーダ受信信号の情報を正しく処理・表示することができる。そして、観測データの機器間のやり取りにおいて、必要な帯域及び時間を減らすことができる。
【００４５】
（本開示の所定高度以上でのレーダ受信信号の情報の間引き方法）
本開示の所定高度以上でのレーダ受信信号の情報の間引き方法を図４に示す。本開示の所定近距離でのレーダ受信信号の情報の間引き方法と、本開示の所定高度以上でのレーダ受信信号の情報の間引き方法とは、後述するように、併用することができる。
【００４６】
図１においては、受信信号情報間引き部２２は、受信信号情報取得部２１が取得したレーダ受信信号の情報のうち、所定高度より上空でのレーダ受信信号の情報を間引く。所定高度より上空においては、ターゲットとなる降水雲が存在しないからである。
【００４７】
図２においては、受信信号情報間引き部２２は、電子走査又は機械走査によりレーダ受信信号の情報を取得するにあたり、所定高度より上空でのレーダ受信信号の情報を間引くかどうかを予め設定できる機能を有する。所定高度より上空においては、ターゲットとなる降水雲が存在しないからである。
【００４８】
図４に示した１／４円は、１回のＲＨＩ（Ｒａｎｇｅ  Ｈｅｉｇｈｔ  Ｉｎｄｉｃａｔｏｒ）観測における、レーダ受信信号の情報を示す。所定高度より上空でのレーダ受信信号の情報が、部分的に間引かれている、又は、完全に破棄されている。
【００４９】
受信信号情報間引き部２２は、所定高度より上空においては、レーダ受信信号の情報を間引くとともに、所定高度より下層においては、レーダ受信信号の情報を増大させないため、フェーズドアレイレーダにおいて、近距離及び遠距離を合わせた全体として、観測データを圧縮することができる。
【００５０】
受信信号情報間引き部２２は、レーダ受信信号の情報に基づいて決定された最大エコー頂高度を、所定高度として設定してもよい。ここで、最大エコー頂高度は、時刻毎に異なり、エコーが観測される最も高い高度である。
【００５１】
受信信号情報間引き部２２は、レーダサイト１が観測した最大エコー頂高度を、所定高度として設定したうえで、最大エコー頂高度より上空でのレーダ受信信号の情報を間引くことができるため、フェーズドアレイレーダにおいて、近距離及び遠距離を合わせた全体として、観測データを圧縮することができる。
【００５２】
受信信号情報間引き部２２は、（１）レーダ受信信号処理装置２のオペレータにより時期及び／若しくは場所に応じて入力された降水雲の発達限界の高度を、又は、（２）高層気象観測により得られた観測データに基づいて時期及び／若しくは場所に応じて入力された降水雲の発達限界の高度を、所定高度として設定してもよい。ここで、オペレータ入力値は、経験値又は観測値であり、１０〜２０ｋｍ程度である。
【００５３】
受信信号情報間引き部２２は、（１）オペレータにより時期及び／若しくは場所に応じて入力された降水雲の発達限界の高度を、又は、（２）高層気象観測に基づいて時期及び／若しくは場所に応じて入力された降水雲の発達限界の高度を、所定高度として設定したうえで、降水雲の発達限界の高度より上空でのレーダ受信信号の情報を間引くことができるため、フェーズドアレイレーダにおいて、近距離及び遠距離を合わせた全体として、観測データを圧縮することができる。
【００５４】
本開示の所定近距離でのレーダ受信信号の情報の間引き方法と、本開示の所定高度以上でのレーダ受信信号の情報の間引き方法とは、前述したように、併用することができる。ここで、レーダサイト１から遠距離かつ所定高度より下層においては、レーダ受信信号の情報の間引き率を低く設定すればよい。一方で、レーダサイト１から遠距離かつ所定高度より上空においては、レーダ受信信号の情報の間引き率を高く設定すればよい、又は、レーダ受信信号の情報を完全に破棄すればよい。
【００５５】
実施形態では、空間方向について、観測データを圧縮している。変形例として、空間方向のみならず、時間方向についても、観測データを圧縮してもよい。例えば、物標Ｔの位置の時間変化を見落とさないように、時間方向の観測データの圧縮率を設定すればよい。
【産業上の利用可能性】
【００５６】
本開示のレーダ受信信号処理装置、プログラム及び方法は、（１）本開示の所定近距離でのレーダ受信信号の情報の間引き方法を適用する気象用途のレーダを含む一般用途のレーダと、（２）本開示の所定高度以上でのレーダ受信信号の情報の間引き方法を適用する気象用途のレーダと、に適用することができる。
【符号の説明】
【００５７】
Ｒ：レーダシステム
Ｔ：物標
１：レーダサイト
２：レーダ受信信号処理装置
３：データ転送先
１１：レーダ送信部
１２：レーダ受信部
１３：機械走査部
１４：電子走査部
２１：受信信号情報取得部
２２：受信信号情報間引き部
２３：受信信号情報出力部
【図１】
2018124213.tif 000003
【図２】
2018124213.tif 000004
【図３】
2018124213.tif 000005
【図４】
2018124213.tif 000006